(57)【要約】【課題】ビデオ信号をディスプレイ装置に提供するビデオプレーヤーを提供する。【解決手段】ビデオ信号をディスプレイ装置に提供するビデオプレーヤーであって、選択信号の状態に基づいて、飛び越し走査形式の第１信号、または順次走査形式の第２信号を出力する選択装置、前記選択信号の状態に基づいて、第１周波数、または第２周波数を出力する周波数発生器、前記周波数発生器から出力された前記周波数に基づいて、前記選択装置より出力された前記信号に第１操作を行い、処理信号を発生する調整装置、および前記処理信号に第２操作を行い、前記ビデオ信号を発生する処理装置を含むビデオプレーヤー。【選択図】図２
0003130054.tif 000002
【実用新案登録請求の範囲】
【請求項１】
ビデオ信号をディスプレイ装置に提供するビデオプレーヤーであって、
選択信号の状態に基づいて、飛び越し走査形式の第１信号、または順次走査形式の第２信号を出力する選択装置と、
前記選択信号の状態に基づいて、第１周波数、または第２周波数を出力する周波数発生器と、
前記周波数発生器から出力された前記周波数に基づいて、前記選択装置より出力された前記信号に第１操作を行い、処理信号を発生する調整装置と、
前記処理信号に第２操作を行い、前記ビデオ信号を発生する処理装置とを含むビデオプレーヤー。
【請求項２】
前記第１周波数は、前記第２周波数の２倍である請求項１に記載のビデオプレーヤー。
【請求項３】
前記第１操作は、輝度処理、コントラスト処理、またはカラー処理を含む請求項１に記載のビデオプレーヤー。
【請求項４】
前記第２操作は、変換処理、同期処理、カラーオフセット処理、アンチレコード処理、雑音処理、またはエンコード処理を含む請求項１に記載のビデオプレーヤー。
【請求項５】
前記ビデオ信号は、前記ディスプレイ装置のＳビデオ端子、コンポジットビデオ端子、またはコンポーネントビデオ端子を通して受けられる請求項１に記載のビデオプレーヤー。
【請求項６】
ビデオ信号に基づいて画像を表示するディスプレイ装置、および
ビデオプレーヤーを含み、
選択信号の状態に基づいて、飛び越し走査形式の第１信号、または順次走査形式の第２信号を出力する選択装置と、
前記選択信号の状態に基づいて、第１周波数、または第２周波数を出力する周波数発生器と、
前記周波数発生器から出力された前記周波数に基づいて、前記選択装置より出力された前記信号に第１操作を行い、処理信号を発生する調整装置と、
前記処理信号に第２操作を行い、前記ビデオ信号を発生する処理装置とを含む再生システム。
【請求項７】
前記第１周波数は、前記第２周波数の２倍である請求項６に記載の再生システム。
【請求項８】
前記第操作は、輝度処理、コントラスト処理、またはカラー処理を含む請求項６に記載の再生システム。
【請求項９】
前記第２操作は、変換処理、同期処理、カラーオフセット処理、アンチレコード処理、雑音処理、またはエンコード処理を含む請求項６に記載の再生システム。
【請求項１０】
前記ディスプレイ装置は、テレビまたはモニタである請求項６に記載の再生システム。
【請求項１１】
前記ビデオプレーヤーは、ＤＶＤプレーヤーである請求項６に記載の再生システム。
【請求項１２】
前記ビデオ信号は、前記ディスプレイ装置のＳビデオ端子、コンポジットビデオ端子、またはコンポーネントビデオ端子を通して受けられる請求項６に記載のビデオプレーヤー。
【請求項１３】
ビデオプレーヤーに適する再生方法であって、
選択信号の状態に基づいて、飛び越し走査形式の第１信号、または順次走査形式の第２信号を提供するステップ、
前記選択信号の状態に基づいて、第１周波数、または第２周波数を提供するステップ、
第１操作で第１周波数、または第２周波数を用いて前記第１信号、または前記第２信号を調整し、処理信号を発生するステップ、
第２操作で前記処理信号を処理し、ビデオ信号を発生するステップ、および
前記ビデオ信号を提供するステップを含む再生方法。
【請求項１４】
前記ビデオ信号は、ディスプレイ装置によって再生される請求項１３に記載の再生方法。
【請求項１５】
複数の選択を含む設定画像を提供するステップ、
前記選ばれた選択に基づいて選択信号の状態を制御するステップを更に含む請求項１４に記載の再生方法。
【請求項１６】
前記第１周波数は、前記第２周波数の２倍である請求項１４に記載の再生方法。
【請求項１７】
前記第１操作は、輝度処理、コントラスト処理、またはカラー処理を含む請求項１４に記載の再生方法。
【請求項１８】
前記第２操作は、変換処理、同期処理、カラーオフセット処理、アンチレコード処理、雑音処理、またはエンコード処理を含む請求項１４に記載の再生方法。
【考案の詳細な説明】
【技術分野】
【０００１】
本考案は、ビデオプレーヤーに関し、特に、飛び越し走査方式、または順次走査方式を用いてビデオ信号を提供するビデオプレーヤーに関するものである。
【背景技術】
【０００２】
例えば従来のテレビやモニタなどの従来のディスプレイ装置は、飛び越し走査方式、または順次走査方式を用いてビデオ信号を表示している。飛び越し走査方式の方が発展が長く、現在、大多数のテレビは、飛び越し走査方式を用いてビデオ信号を表示している。しかし、近年、順次走査方式を用いたディスプレイ装置が徐々に普及してきている。よって、ビデオプレーヤーは、飛び越し走査と順次走査形式で互換性のあるビデオ信号をディスプレイ装置に提供しなければならない。
【０００３】
図１は、従来のビデオプレーヤーの概略図である。従来のビデオプレーヤー１１は、順次調整装置１３、飛び越し調整装置１５、処理装置１７を含む。順次調整装置１３は、順次走査形式の信号ＳＰを調整する。飛び越し調整装置１５は、飛び越し走査形式の信号ＳＩを調整する。処理装置１７は、調整された信号ＳＰとＳＩを受けて処理し、処理された信号ＳＰとＳＩをディスプレイ装置１０に出力する。
【０００４】
ディスプレイ装置１０のフレームが５２５のスキャンラインを含むと仮定する。ディスプレイ装置１０が飛び越し走査形式のビデオ信号を表示するようにセットされた時、処理装置１７は、飛び越し走査形式の処理された信号ＳＩをディスプレイ装置１０に提供する。ディスプレイ装置１０は、処理された信号ＳＩを奇数のスキャンライン（ｅ.ｇ．１、３、５、７など）で表示した後、偶数のスキャンライン（ｅ.ｇ．２、４、６、８など）で表示することで動態イメージを表示することができる。
【０００５】
また、ディスプレイ装置１０が順次走査形式のビデオ信号を表示するようにセットされた時、処理装置１７は、順次走査形式の処理された信号ＳＰをディスプレイ装置１０に提供する。よって、ディスプレイ装置１０は、順次走査方式を用いて画像を表示する。順次走査方式の周波数が飛び越し走査形式の周波数の２倍であることから、順次走査方式の画像は、飛び越し走査方式の画像より精密であり、順次走査形式の画像のデータ量は、飛び越し走査形式の画像のデータ量より多い。
【０００６】
順次走査形式の信号ＳＰと飛び越し走査形式の信号ＳＩをディスプレイ装置１０に提供するために、従来のプレーヤー１１は、順次調整装置１３、飛び越し調整装置１５の両方を含まなければならず、ビデオプレーヤーのコストと、体積が増加される。
【考案の開示】
【考案が解決しようとする課題】
【０００７】
ビデオ信号をディスプレイ装置に提供するビデオプレーヤーを提供する。
【課題を解決するための手段】
【０００８】
ビデオ信号をディスプレイ装置に提供するビデオプレーヤーの実施例は、選択装置、周波数発生器、調整装置、処理装置を含む。選択装置は、選択信号の状態に基づいて、飛び越し走査形式の第１信号、または順次走査形式の第２信号を出力する。周波数発生器は、選択信号の状態に基づいて、第１周波数、または第２周波数を出力する。調整装置は、周波数発生器から出力された周波数に基づいて、選択装置より出力された信号に第１操作を行い、処理信号を発生する。処理装置は、処理信号に第２操作を行い、ビデオ信号を発生する。
【０００９】
再生システムも提供される。再生システムの実施例は、ディスプレイ装置とビデオプレーヤーを含む。ディスプレイ装置は、ビデオ信号に基づいて画像を表示する。ビデオプレーヤーは、選択装置、周波数発生器、調整装置、処理装置を含む。選択装置は、選択信号の状態に基づいて、飛び越し走査形式の第１信号、または順次走査形式の第２信号を出力する。周波数発生器は、選択信号の状態に基づいて、第１周波数、または第２周波数を出力する。調整装置は、周波数発生器から出力された周波数に基づいて、選択装置より出力された信号に第１操作を行い、処理信号を発生する。処理装置は、処理信号に第２操作を行い、ビデオ信号を発生する。
【００１０】
再生方法も提供される。ビデオプレーヤーに適する再生方法の実施例は、選択信号の状態に基づいて、飛び越し走査形式の第１信号、または順次走査形式の第２信号を提供するステップ、選択信号の状態に基づいて、第１周波数、または第２周波数を提供するステップ、第１操作で第１周波数、または第２周波数を用いて第１信号、または第２信号を調整し、処理信号を発生するステップ、第２操作で処理信号を処理し、ビデオ信号を発生するステップと、ビデオ信号を提供するステップを含む。
【考案の効果】
【００１１】
従来のビデオプレーヤーは、順次調整装置と飛び越し調整装置を必要として順次走査形式、または飛び越し走査形式の信号を調整する。本考案のビデオプレーヤーは、調整装置のみを必要として順次走査形式、または飛び越し走査形式の信号を調整する。よって、部品の数と、ビデオプレーヤーの体積を減少することができる。
【考案を実施するための最良の形態】
【００１２】
本考案についての目的、特徴、長所が一層明確に理解されるよう、以下に実施形態を例示し、図面を参照にしながら、詳細に説明する。
【実施例】
【００１３】
図２は、再生システムの実施例の概略図である。再生システムは、ディスプレイ装置２０とビデオプレーヤー２１を含む。ディスプレイ装置２０は、例えばＤＶＤプレーヤーなどのビデオプレーヤー２１から出力されたビデオ信号ＳＩＭＡを受け、ビデオ信号ＳＩＭＡに対応する画像を表示する。
【００１４】
ディスプレイ装置２０は、テレビ、またはモニタである。ディスプレイ装置２０がテレビの時、テレビは、Ｓビデオ端子、コンポジットビデオ端子、またはコンポーネントビデオ端子を通してビデオ信号ＳＩＭＡを受ける。ディスプレイ装置２０がモニタの時、モニタは、映像インターフェースを通してビデオ信号ＳＩＭＡを受ける。
【００１５】
ビデオプレーヤー２１から出力されたビデオ信号ＳＩＭＡがディスプレイ装置２０のコンポーネントビデオ端子で受けられた時、ビデオ信号ＳＩＭＡは、輝度成分Ｙと色差成分ＰｂとＰｒを含む。ビデオプレーヤー２１から出力されたビデオ信号ＳＩＭＡがディスプレイ装置２０のＳビデオ端子で受けられた時、ビデオ信号ＳＩＭＡは、輝度成分Ｙと色度成分（クロミナンス成分）Ｃを含む。ビデオプレーヤー２１から出力されたビデオ信号ＳＩＭＡがディスプレイ装置２０のコンポジットビデオ端子で受けられた時、ビデオ信号ＳＩＭＡは、輝度成分Ｙと色度成分Ｃを結合するコンポジットビデオ信号（ＣＶＢＳ）となる。ディスプレイ装置２０がモニタで、ビデオプレーヤー２１から出力されたビデオ信号ＳＩＭＡがモニタの映像インターフェースで受けられた時、ビデオ信号ＳＩＭＡは、カラー素子Ｒ、Ｇと、Ｂを含む。
【００１６】
ディスプレイ装置２０によって表示される画像が飛び越し走査形式、または順次走査形式であることから、ディスプレイ装置２０は、まず設定画像を表示し、形式を選択する。図３ａは、設定画像の概略図である。設定画像は２つの選択を有する。１つは、順次走査形式の選択３１であり、もう１つは、飛び越し走査形式の選択３３である。
【００１７】
ユーザーが順次走査形式の選択３１を選択した時、選択信号ＳＳＥＬの状態は、第１状態に設定される。飛び越し走査形式の選択３３が選択された時、選択信号ＳＳＥＬの状態は、第２状態に設定される。ビデオプレーヤー２１は、選択信号ＳＳＥＬの状態に基づいて順次走査形式、または飛び越し走査形式のビデオ信号ＳＩＭＡを提供する。
【００１８】
図３ｂは、もう１つの設定画像の概略図である。ユーザーが飛び越し走査形式の選択３３を選択した時、ディスプレイ装置２０は、もう１つの設定画像３００を表示する。設定画像３００は、選択３０１〜３０４を含む。選択３０１は、飛び越し走査形式のビデオ信号ＳＩＭＡがディスプレイ装置２０のコンポーネントビデオ端子によって受けられるのを表している。選択３０２は、飛び越し走査形式のビデオ信号ＳＩＭＡがディスプレイ装置２０のＳビデオ端子によって受けられるのを表している。選択３０３は、飛び越し走査形式のビデオ信号ＳＩＭＡがディスプレイ装置２０のコンポジットビデオ端子によって受けられるのを表している。選択３０４は、飛び越し走査形式のビデオ信号ＳＩＭＡがディスプレイ装置２０の映像インターフェースによって受けられるのを表している。
【００１９】
ビデオプレーヤー２１は、選択装置２３、周波数発生器２５、調整装置２７と、処理装置２９を含む。
【００２０】
選択装置２３は、選択信号ＳＳＥＬの状態に基づいて、順次走査形式の信号ＳＰ、または飛び越し走査形式の信号ＳＩを出力する。この実施例では、選択信号ＳＳＥＬの状態が高ロジックレベルにある時、選択装置２３は、信号ＳＰを出力し、選択信号ＳＳＥＬの状態が低ロジックレベルにある時、選択装置２３は、信号ＳＩを出力する。
【００２１】
周波数発生器２５は、信号ＳＦを出力する。この実施例では、選択信号ＳＳＥＬの状態が高ロジックレベルにある時、信号ＳＦの周波数は、第１周波数と等しく、選択信号ＳＳＥＬの状態が低ロジックレベルにある時、信号ＳＦの周波数は、第２周波数に等しい。第１周波数は、第２周波数の２倍である。
【００２２】
調整装置２７は、周波数発生器２５から出力された周波数に基づいて、選択装置２３より出力された信号に第１操作を行い、処理信号ＳＰＲを発生する。選択装置２３が信号ＳＰを出力する時、処理信号ＳＰＲは、順次走査形式を有する。選択装置２３が信号ＳＩを出力する時、処理信号ＳＰＲは、飛び越し走査形式を有する。
【００２３】
信号ＳＰのデータ量が信号ＳＩのデータ量と異なることから、調整装置２７は、周波数発生器２５から出力された周波数に基づいて、選択装置２３より出力された信号に第１操作を行う。第１操作は、輝度処理、コントラスト処理、またはカラー処理を含む。第１操作が当業者にはよく知られていることから、第１操作の処理は、省く。
【００２４】
処理装置２９は、処理信号ＳＰＲに第２操作を行い、ビデオ信号ＳＩＭＡを発生する。第２操作は、変換処理、同期処理、カラーオフセット処理、アンチレコード処理(コピーコントロール処理）、雑音処理、またはエンコード処理を含む。処理信号ＳＰＲが順次走査形式を有する時、ビデオ信号ＳＩＭＡも順次走査形式を有する。処理信号ＳＰＲが飛び越し走査形式を有する時、ビデオ信号ＳＩＭＡも飛び越し走査形式を有する。
【００２５】
図４は、処理装置２９の実施例の概略図である。処理装置２９は、変換処理装置２９１、同期処理装置２９２、カラーオフセット処理装置２９３、アンチレコーダ２９４、雑音処理装置２９５、またはエンコーダ２９６を含む。
【００２６】
ユーザーが設定画像３００の選択３０１を選んだ時、変換処理装置２９１は、飛び越し走査形式の処理信号ＳＰＲを輝度成分ＹＩと色差成分ＰｂＩとＰｒＩに変換する。ユーザーが設定画像３００の選択３０２を選んだ時、変換処理装置２９１は、飛び越し走査形式の処理信号ＳＰＲを輝度成分ＹＩと色度成分Ｃに変換する。
【００２７】
ユーザーが設定画像３００の選択３０３を選んだ時、変換処理装置２９１は、飛び越し走査形式の処理信号ＳＰＲをコンポジットビデオ信号（ＣＶＢＳ）に変換し、輝度成分ＹＩと色度成分Ｃを結合する。ユーザーが設定画像３００の選択３０４を選んだ時、変換処理装置２９１は、飛び越し走査形式の処理信号ＳＰＲをカラー素子Ｒ、Ｇと、Ｂに変換する。
【００２８】
ユーザーが順次走査形式の選択３１を選んだ時、変換処理装置２９１は、順次走査形式の処理信号ＳＰＲを輝度成分ＹＰと色差成分ＰｂＰとＰｒＰに変換する。
【００２９】
同期処理装置２９２は、変換処理装置２９１から提供された出力信号を同期化する。カラーオフセット処理装置２９３は、同期処理装置２９２から提供された出力信号のカラーオフセットを処理する。アンチレコーダ２９４は、カラーオフセット処理装置２９３から提供された出力信号を処理する。エンコーダ２９６は、雑音処理装置２９５から提供された出力信号をエンコードする。変換処理装置２９１、同期処理装置２９２、カラーオフセット処理装置２９３、アンチレコーダ２９４、雑音処理装置２９５、またはエンコーダ２９６の処理は、当業者にはよく知られていることから、プロセスの説明は、省く。
【００３０】
この実施例では、エンコーダ２９６は、デジタルアナログコンバータ（ＤＡＣ）４１〜４３を含む。ＤＡＣ４１は、飛び越し走査形式の輝度成分ＹＩ、飛び越し走査形式のカラー素子Ｒ、または順次走査形式の輝度成分ＹＰをエンコードする。ＤＡＣ４２は、色度成分Ｃ、カラー素子Ｇ、または飛び越し走査形式の色差成分ＰｂＩ、または飛び越し走査形式の色差成分ＰｂＰをエンコードする。ＤＡＣ４３は、順次走査形式の色差成分ＰｒＰ、順次走査形式のカラー素子Ｂ、飛び越し走査形式の色差成分ＰｒＩ、または飛び越し走査形式のコンポジットビデオ信号（ＣＶＢＳ）をエンコードする。
【００３１】
この実施例では、設定画像３０と３００を表示するために、ビデオプレーヤー２１は、ディスプレイ装置２０をコンポジットビデオ端子に接続する。ユーザーが順次走査形式の選択３１を選んだ時、ビデオ信号ＳＩＭＡは、ビデオプレーヤー２１のコンポーネントビデオ端子によって出力に変換される。
【００３２】
ユーザーが選択３３と３０１を選んだ時、ビデオプレーヤー２１は、コンポーネントビデオ端子によって飛び越し走査形式のビデオ信号ＳＩＭＡを提供する。ユーザーが選択３３と３０２を選んだ時、ビデオプレーヤー２１は、Ｓビデオ端子によって飛び越し走査形式のビデオ信号ＳＩＭＡを提供する。ユーザーが選択３３と３０３を選んだ時、ビデオプレーヤー２１は、コンポジットビデオ端子によって飛び越し走査形式のビデオ信号ＳＩＭＡを提供する。ユーザーが選択３３と３０４を選んだ時、ビデオプレーヤー２１は、映像インターフェースによって飛び越し走査形式のビデオ信号ＳＩＭＡを提供する。その他の実施例でも、ユーザーは、コンポーネントビデオ端子、Ｓビデオ端子、コンポジットビデオ端子、映像インターフェースからの端子の１つを選び、順次走査形式のビデオ信号ＳＩＭＡを提供することができる。
【００３３】
図５は、再生方法の実施例の流れ図である。再生方法は、ディスプレイ装置とビデオプレーヤーに適する。図２を参照に再生方法を下記に説明する。
【００３４】
ビデオプレーヤー２１は、選択信号ＳＳＥＬの状態に基づいて、順次走査形式の信号Ｓｐ、または飛び越し走査形式の信号ＳＩを提供する（ステップ５１０）。仮に、選択信号ＳＳＥＬの状態が高ロジックレベルにある時、ビデオプレーヤーは、信号ＳＰを提供し、選択信号ＳＳＥＬの状態が低ロジックレベルにある時、ビデオプレーヤーは、信号ＳＩを提供すると仮定する。
【００３５】
選択信号ＳＳＥＬの状態は、ビデオプレーヤー２１によって提供された設定画像３０の選ばれた選択に基づいて制御される。ユーザーが選択３１を選んだ時、選択信号ＳＳＥＬの状態は、高ロジックレベルに制御される。ユーザーが飛び越し走査形式の選択３３を選択した時、選択信号ＳＳＥＬの状態は、低ロジックレベルに制御される。
【００３６】
続いて、ビデオプレーヤー２１は、選択信号ＳＳＥＬの状態に基づいて、信号ＳＦを提供する（ステップ５２０）。この実施例では、選択信号ＳＳＥＬの状態が高ロジックレベルにある時、信号ＳＦの周波数は、第１周波数であり、選択信号ＳＳＥＬの状態が低ロジックレベルにある時、信号ＳＦの周波数は、第２周波数である。第１周波数は、第２周波数の２倍である。
【００３７】
第１操作では、ビデオプレーヤー２１は、信号ＳＦの周波数によって調整された信号ＳＰ、またはＳＩの輝度、コントラスト、またはカラーを用いて処理信号ＳＰＲを発生する（ステップ５３０）。第１操作が当業者にはよく知られていることから、第１操作の処理は、省く。この実施例では、ビデオプレーヤー２１は、第１周波数の信号ＳＦを用いて信号ＳＰを調整し、第２周波数の信号ＳＦを用いて信号ＳＩを調整する。
【００３８】
ビデオプレーヤー２１は、第２操作で処理信号ＳＰＲを処理し、ビデオ信号ＳＩＭＡを発生する（ステップ５４０）。第２操作は、変換処理、同期処理、カラーオフセット処理、ａｎｔｉ−ｒｅｃｏｒｄ処理、雑音処理、またはエンコード処理を含む。第２操作の処理が当業者にはよく知られていることから、処理の説明は、省く。
【００３９】
最後に、ビデオプレーヤー２１は、ビデオ信号ＳＩＭＡに基づいて、ビデオ信号ＳＩＭＡをディスプレイ装置２０に提供し、画像を提供する（ステップ５５０）。ユーザーが選択３１を選んだ時、ディスプレイ装置２０は、順次走査方式を用いて画像を表示する。ユーザーが選択３３を選んだ時、ディスプレイ装置２０は、飛び越し走査方式を用いて画像を表示する。
【００４０】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００４１】
【図１】従来のビデオプレーヤーの概略図である。
【図２】再生システムの実施例の概略図である。
【図３ａ】設定画像の概略図である。
【図３ｂ】もう１つの設定画像の概略図である。
【図４】処理装置２９の実施例の概略図である。
【図５】再生方法の実施例の流れ図である。
【符号の説明】
【００４２】
１０、２０  ディスプレイ装置
１１、２１  ビデオプレーヤー
１３        順次調整装置
１５        飛び越し調整装置
１７、２９  処理装置
２３        選択装置
２５        周波数発生器
２７        調整装置
２９１      変換処理装置
２９２      同期処理装置
２９３      カラーオフセット処理装置
２９４      アンチレコーダ
２９５      雑音処理装置
２９６      エンコーダ
３０、３００  設定画像
３１、３３、３０１〜３０４  選択
４１〜４３  ＤＡＣ
【図１】
0003130054.tif 000003
【図２】
0003130054.tif 000004
【図３ａ】
0003130054.tif 000005
【図３ｂ】
0003130054.tif 000006
【図４】
0003130054.tif 000007
【図５】
0003130054.tif 000008
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
ビデオ信号をディスプレイ装置に提供するビデオプレーヤーであって、
選択信号の状態に基づいて、飛び越し走査形式の第１信号、または順次走査形式の第２信号を出力する選択装置と、
前記選択信号の状態に基づいて、第１周波数、または第２周波数を出力する周波数発生器と、
前記周波数発生器から出力された前記周波数に基づいて、前記選択装置より出力された前記信号に第１操作を行い、処理信号を発生する調整装置と、
前記処理信号に第２操作を行い、前記ビデオ信号を発生する処理装置とを含むビデオプレーヤー。
【請求項２】
前記第１周波数は、前記第２周波数の２倍である請求項１に記載のビデオプレーヤー。
【請求項３】
前記第１操作は、輝度処理、コントラスト処理、またはカラー処理を含む請求項１に記載のビデオプレーヤー。
【請求項４】
前記第２操作は、変換処理、同期処理、カラーオフセット処理、アンチレコード処理、雑音処理、またはエンコード処理を含む請求項１に記載のビデオプレーヤー。
【請求項５】
前記ビデオ信号は、前記ディスプレイ装置のＳビデオ端子、コンポジットビデオ端子、またはコンポーネントビデオ端子を通して受けられる請求項１に記載のビデオプレーヤー。
【請求項６】
ビデオ信号に基づいて画像を表示するディスプレイ装置、および
ビデオプレーヤーを含み、
選択信号の状態に基づいて、飛び越し走査形式の第１信号、または順次走査形式の第２信号を出力する選択装置と、
前記選択信号の状態に基づいて、第１周波数、または第２周波数を出力する周波数発生器と、
前記周波数発生器から出力された前記周波数に基づいて、前記選択装置より出力された前記信号に第１操作を行い、処理信号を発生する調整装置と、
前記処理信号に第２操作を行い、前記ビデオ信号を発生する処理装置とを含む再生システム。
【請求項７】
前記第１周波数は、前記第２周波数の２倍である請求項６に記載の再生システム。
【請求項８】
前記第操作は、輝度処理、コントラスト処理、またはカラー処理を含む請求項６に記載の再生システム。
【請求項９】
前記第２操作は、変換処理、同期処理、カラーオフセット処理、アンチレコード処理、雑音処理、またはエンコード処理を含む請求項６に記載の再生システム。
【請求項１０】
前記ディスプレイ装置は、テレビまたはモニタである請求項６に記載の再生システム。
【請求項１１】
前記ビデオプレーヤーは、ＤＶＤプレーヤーである請求項６に記載の再生システム。
【請求項１２】
前記ビデオ信号は、前記ディスプレイ装置のＳビデオ端子、コンポジットビデオ端子、またはコンポーネントビデオ端子を通して受けられる請求項６に記載の再生システム。